(57)【特許請求の範囲】
【請求項１】
金属板製で、縦長垂直状板部１と、水平状板部２と、横長垂直状板部３と、取付け用板部４とを備えており、
上記縦長垂直状板部１は、架け渡し横材６の端部寄り側面６ａへ当接する前後幅を有し、釘又はネジ用の孔７を形成してあり、
上記水平板部２は、縦長垂直状板部１の下端部から側方へ続き、架け渡し横材６の端部寄り下面６ｂを支承する前後幅を有し、釘又はネジ用の孔８を形成してあり、
上記横長垂直状板部３は、水平状板部２の後端縁から上方へ続き、支承用横材５の前面５ａと当接する上下幅を有し、釘又はネジ用の孔９を形成してあり、
上記取付け用板部４は、縦長垂直状板部１の後端縁部から側方へ続き、支承用横材５の前面５ａへ当接する横幅を有して、釘又はネジ用の孔１０を形成してあり、
上記横長垂直状板部３には、支承用横材５に記した取付け位置用墨付け線１１に、架け渡し横材６の縦断面の横幅の広・狭に対応可能な、少なくとも２箇所の位置決め用部１２，１３を形成してあり、
かつ、上記横長垂直状板部３と水平板部２後端部の少なくとも一方に、横方向へ間隔をおいて少なくとも２個の仮固定用尖頭突起部１４，１５を後方へ突設して、該尖頭突起部１４，１５の後方への長さを、上記縦長垂直状板部１側のものを他より短めに形成してあり、
それらからなる全体形状を、正面から見てほぼＬ型状になるようにした、天井野縁等の取付け金具。
【請求項２】
各仮固定用尖頭突起部１４，１５の後方への長さを、仮固定時に取付け用板部４の外側縁４ａとほぼ同時に支承用横材５の前面５ａへ当接可能に、縦長垂直状板部１寄りの尖頭突起部１４を、縦長垂直状板部１から離れた尖頭突起部１５よりも短めにして、取付け用板部４の外側縁４ａと両尖頭突起部１４，１５の先端部とが、平面図で見てほぼ同一線ｙ上にくるように形成した、請求項１に記載の天井野縁等の取付け金具。
【発明の詳細な説明】
【０００１】
【発明の属する技術分野】
本発明は、天井野縁等の取付け金具に関するものであり、例えば天井板を張る下地骨となる板張り用野縁材の両側端部を、室内側の壁または柱に横設した支承用野縁材間に等間隔に横設する場合に用いる取付け金具や、最下階床の根太を支える大引き材（尾引き材ともいう）の両側端部を、柱等に横設された大引受け材間に等間隔に横設する場合に用いる取付け金具に係るものである。
【０００２】
【従来の技術】
従来、例えば建物の天井取付け作業は、室内側の壁面や柱に対向状の横材、即ち支承用野縁材を横設しておき、その支承用野縁材間に架け渡す如く複数本の横材、即ち板張り用野縁材を等間隔（例えば３００ｍｍ間隔）で横設し、該板張り用野縁材の下面に天井板を張り付けている。上記の作業で、最も手間がかかると共に技術が必要とされているのが、両側の支承用野縁材間に各板張り用野縁材を直角に横設していくことである。
【０００３】
ａ）支承用野縁材間に架け渡す如く板張り用野縁材を横設する際に、従来は支承用野縁材に対して板張り用野縁材の端部をＴの字状に当てて、その部分に斜めに釘を打ち込んで固定する手段が行われていた。
【０００４】
これは、板張り用野縁材を支承用野縁材間の間隔に切断しておき、その一端面を片側の支承用野縁材の前面の墨付け線で位置決めして押し当て、上下・左右方向へ位置せぬように手でしっかり押さえて、釘を３方向から斜めに打ち込んで固定する。次いで板張り用野縁材の他端面を同様に他側の支承用野縁材の前面に押し当て、位置ズレせぬようにしっかり押さえて、釘を斜めに打ち込んで固定するものである（例えば実願昭６１−１７０６０２号公報の図１１参照）。
【０００５】
ｂ）また、取付固定用金具を用いることも行われていた。例えば、上記実願昭６１−１７０６０２号公報に記載の金具を用いるものがある。該金具の形状は、略菱形状の金具本体の両端部を先鋭先端にして、それを上方向に湾曲させた後に下方向に湾曲させて、金具本体の底面よりも下方向に突出した第１の打込み部とすると共に、金具本体の中央部に略Ｎ字型またはＷ字型等の切込みを設けて、切り起こすことにより先鋭先端の第２の打込み部としたものである。
【０００６】
これは、該金具中央部の先鋭先端の第２の打込み部を板張り用野縁材の両側端面に予め打ち込んで取付けておき、片側ずつ支承用野縁材の前面に当てて、先鋭先端の第１の打込み部を打ち込んで仮固定し、該金具の釘用の孔から釘を打ち込んで固定するものである。
【０００７】
ｃ）さらに  取付固定用金具を用いるものとして、特開平６−８１４２１号公報や特開２０００−１２０２０９号公報に記載のものがある。これらの金具は、板張り用野縁材を係合可能な横幅をもつ縦断面Ｕ字状部または逆Ｕ字状部と、その両側方に支承用野縁材への連結用フランジ部とを有するものである。
【０００８】
この内の前者は、支承用野縁材の上部に板張り用野縁材の端部寄りを載置した状態で、該板張り用野縁材の端部寄りに門型状部を係合させ、連結用フランジ部を支承用野縁材に釘止めする。また後者は、支承用野縁材の側面に該金具を連結用フランジ部で固定しておき、該金具の門型状部に板張り用野縁材の端部寄りを端部からまたは下方から係合させて、金具側部から板張り用野縁材に釘打ちして固定する。
【０００９】
なお、最下階床の根太を支える大引き材の両側端部を、柱等に横設された大引受け材間に等間隔に横設する場合にも、上記とほぼ同様な手段が用いられることが多かった。
【００１０】
【発明が解決しようとする課題】
ところが、上記従来の天井野縁等の取付け手段には、次のような問題点があった。
まず上記ａ）のものは、両側の支承用野縁材の前面に板張り用野縁材の各端面を当てがい、釘を斜めに打ち込んで固定する手段である。これは、作業者が２名の場合は各端部寄りを持って作業できるので問題がないが、一人で作業する場合には、板張り用野縁材の片方を固定する際に他方が支承用野縁材から落下してしまい、作業が非常に難しく、作業性が悪い。
【００１１】
そこで、板張り用野縁材を、支承用野縁材間の間隔よりやや長め（例えば２０ｍｍ程度）に切断しておき、他端部を他側の支承用野縁材上に載せた状態で一端面を支承用野縁材の前面に当てがって釘を打って固定し、次に他側の支承用野縁材上に載った板張り用野縁材の他端部を斜め状に切断して、その切断端面を支承用野縁材に上方から下ろして前面に押し当て、釘を打って固定することが行われている。
【００１２】
しかしこれでは、他側の支承用野縁材の側面と板張り用野縁材の切断端面との間で、下方に隙間が生じ易く見栄えが悪いし、両者の接触面が少なくなるので、固定強度が弱くグラツキが生じることになる。またこの場合も、斜めに釘を打ち込む際に板張り用野縁材が墨付け線の位置からズレてしまうことがある。
【００１３】
上記の位置ズレを防止するため、板張り用野縁材を支承用野縁材間の間隔より少し長め（例えば５ｍｍ程度）に切断しておき、支承用野縁材間に該板張り用野縁材を打ち入れて、釘を打ち込んで固定することもある。しかし、板張り用野縁材を支承用野縁材間にきつく打ち入れると、支承用野縁材や壁面が外方へ押圧されて歪んでしまったり、天井面に反りが生じたりすることがあるし、釘打ちの際にやはり取付け位置がズレてしまうので、それを修正しながら釘打ちをしなければならなかった。
【００１４】
上記ｂ）のものは、特殊な形状の取付固定用金具を、板張り用野縁材の端面に固着しておき、これを支承用野縁材の側面に掛止させ、その状態で取付固定用金具から釘を支承用野縁材に打ち込んで固定する。
【００１５】
しかしこれは、板張り用野縁材の両端部に予め取付固定用金具を固着して、これを両側の支承用野縁材間に嵌め入れて固定するので、板張り用野縁材を正確な長さに切断しておく必要があり、長すぎた場合は両側の支承用野縁材間に嵌め入れられず取付けられないし、短かすぎると取付ける際に他側部が落下してしまって、取付け難いものである。
【００１６】
上記ｃ）のものは、板張り用野縁材を係合可能な横幅の縦断面Ｕ字状部または逆Ｕ字状部をもつ金具を用いているため、それを用いられる板張り用野縁材は、横幅が金具の内幅と合致するものに限定された。板張り用野縁材の縦断面の横幅が金具の横幅より小さいと取付け後にガタツキが生じるし、大きくて無理に係合させると金具が歪んでしまう。また木材は規格品でも製材時の誤差や湿気による膨張で多少の寸法誤差が生じる（誤差が３ｍｍ程度になる場合もある）ので、金具を使用できない場合もある。
【００１７】
また上記ｃ）の内で縦断面逆Ｕ字状の金具は、予め支承用野縁材に断面逆Ｕ字状の金具を取り付けておき、支承用野縁材に対して上方から板張り用野縁材を載せて使用するものであるが、近時の建築は高さ制限が厳しくて梁や桁の直下位置に野縁を組み込むため、板張り用野縁材を上方から支承用野縁材に載せて固定するこの金具は、利用することが難しい場合が多い。
【００１８】
さらに、上記ｂ）・ｃ）のいずれの金具も、それを支承用野縁材の側面に記した取付け位置用墨付線と取付け金具との位置決めのことが考慮されていないし、板張り用野縁材を断面縦長状で使用するか、横長状で使用するかによって、別種の取付け金具を用いないと取付けできない、等の問題点があった。
【００１９】
なお、各大引き材の両側端部を大引受け材間に架け渡す如く横設・固定する場合にも、上記と似たような点が問題になることが多かった。
【００２０】
本発明は、上記従来の天井野縁等の取付け金具がもつ問題点の解消を課題としたものである。即ち本発明の目的は、最も手間が掛かり技術が必要な板張り用野縁材等を支承用野縁材等へ取り付ける作業を、作業者が一人でも容易・迅速に行えると共に、板張り用野縁材等の縦断面の横幅が異なる場合でも、支承用野縁材等の前面へ位置決めを正確にでき、かつ強固に取付けることができる、天井野縁等の取付け金具を提供することにある。
【００２１】
【課題を解決するための手段】
ａ）本発明に係る天井野縁等の取付け金具Ａの第１は、
金属板製で、縦長垂直状板部１と、水平状板部２と、横長垂直状板部３と、取付け用板部４とを備えており、
上記縦長垂直状板部１は、架け渡し横材６の端部寄り側面６ａへ当接する前後幅を有し、釘又はネジ用の孔７を形成してあり、
上記水平板部２は、縦長垂直状板部１の下端部から側方へ続き、架け渡し横材６の端部寄り下面６ｂを支承する前後幅を有し、釘又はネジ用の孔８を形成してあり、
上記横長垂直状板部３は、水平状板部２の後端縁から上方へ続き、支承用横材５の前面５ａと当接する上下幅を有し、釘又はネジ用の孔９を形成してあり、
上記取付け用板部４は、縦長垂直状板部１の後端縁部から側方へ続き、支承用横材５の前面５ａへ当接する横幅を有して、釘又はネジ用の孔１０を形成してあり、
上記横長垂直状板部３には、支承用横材５に記した取付け位置用墨付け線１１に、架け渡し横材６の縦断面の横幅の広・狭に対応可能な、少なくとも２箇所の位置決め用部１２，１３を形成してあり、
かつ、上記横長垂直状板部３と水平板部２後端部の少なくとも一方に、横方向へ間隔をおいて少なくとも２個の仮固定用尖頭突起部１４，１５を後方へ突設して、該尖頭突起部１４，１５の後方への長さを、上記縦長垂直状板部１側のものを他より短めに形成してあり、
それらからなる全体形状を、正面から見てほぼＬ型状になるようにしてなるものである。
ｂ）本発明に係る天井野縁等の取付け金具Ａの第２は、
上記における各仮固定用尖頭突起部１４，１５の後方への長さを、仮固定時に取付け用板部４の外側縁４ａとほぼ同時に支承用横材５の前面５ａへ当接可能に、縦長垂直状板部１寄りの尖頭突起部１４を、縦長垂直状板部１から離れた尖頭突起部１５よりも短めにして、取付け用板部４の外側縁４ａと両尖頭突起部１４，１５の先端部とが、平面図で見てほぼ同一線ｙ上にくるように形成しておくものである。
【００２２】
【発明の実施の形態】
上記構成において、支承用横材５とは、例えば天井野縁用で壁や柱に対向状に横設される支承用野縁材や、最下階床で大引き材を支えるため壁や柱に対向状に横設される大引受け材等を意味する。また架け渡し横材６とは、天井板を張る板張り用野縁材や、最下階床の根太を支える大引き材等を意味する。
【００２３】
上記で本取付け金具Ａの材質は、例えばステンレス製が望ましいが、錆止めの表面処理をしたスチール製でもよく、またその厚みは０．６〜４ｍｍ程度とするのがよい。またその製造は、上記材質の板材をプレス加工により製作することが望ましいが、必ずしもそれに限らない。
【００２４】
上記縦長垂直状板部１の各部の寸法は、架け渡し横材６が例えば天井野縁の板張り用野縁材の一般的な規格品で、縦断面の縦×横が約３０×４０ｍｍ程度であるなら、該縦長垂直状板部１の縦幅（高さ）を例えば約４５ｍｍ程度に、前後幅を例えば約２０ｍｍ程度にしておくことが望ましいが、必ずしもこれに限るものではない。
【００２５】
上記水平状板部２は、上記縦長垂直状板部１の下端部から直角に一側方へ折れ曲がって水平状としてあり、架け渡し横材６が例えば上記のものであれば、該水平状部２の横幅を例えば約４５ｍｍ程度、前後幅を例えば約２０ｍｍ程度にしておくことが望ましいが、必ずしもこれに限るものではない。
【００２６】
上記横長垂直状板部３は、上記水平状板部２の後端部から直角に上方へ折れ曲がっており、架け渡し横材６が例えば上記のものであれば、該横長垂直状板部３の横幅を例えば約４５ｍｍ程度、縦幅（高さ）を例えば約１５ｍｍ程度にしておくことが望ましいが、必ずしもこれに限るものではない。
【００２７】
上記取付け用板部４は、上記縦長垂直状板部１の後端縁から、上記水平状板部２と同方向または反対方向の他側方へ直角に折れ曲がっており、架け渡し横材６が例えば上記のものであれば、該取付け用板部４の縦幅（高さ）を例えば約４５ｍｍ程度、横幅を例えば約２０ｍｍ程度にしておくことが望ましいが、必ずしもこれに限るものではない。
【００２８】
上記位置決め用部１２，１３は、支承用横材５に記した取付け位置用の墨付け線１１に合致させるためのもので、上記横長垂直状板部３の一部に形成しておくのがよい。該位置決め用部１２，１３は、架け渡し横材６の縦断面の横幅の大・小、例えば同じ架け渡し横材６を用いる場合でも縦断面横長状か縦長状かのいずれにも対応可能としてある。
【００２９】
そのため、架け渡し横材６を縦断面縦長状に用いる場合にその中央線１６がくる位置と、縦断面横長状に用いる場合にその中央線１７がくる位置とに対応して２箇所に形成しておく。即ち、縦長垂直状板部１の内側面１ａからの間隔を、架け渡し横材６を縦断面縦長状で用いる際の横幅の１／２の位置と、架け渡し横材６を縦断面横長状に用いる際の横幅の１／２の位置とに、位置決め用部１２，１３を形成しておけばよい。
【００３０】
該位置決め用部１２，１３を横長垂直状板部３に形成するなら、例えば横長垂直状板部３の上端縁に凹部１８を形成するものとし、該凹部１８の一内側縁で縦長垂直状板部１の内側面１ａからの間隔が近い方を、架け渡し横材６を縦断面縦長状に用いる際の位置決め用部１２とし、他内側縁を縦断面横長状で用いる際の位置決め用部１３としておけばよい（例えば図２・図３・図７・図８参照）。
【００３１】
また該位置決め用部１２，１３は、上記では横長垂直状板部３の上端縁に形成した凹部１８の両内側縁を利用したが、それに限らない。図示は省略するが、例えば横長垂直状板部３の上端縁に凸部を形成してその両外側縁を利用してもよいし、横長垂直状板部３の前面に２本の線を引いてもよい。
【００３２】
上記尖頭突起部１４，１５は、支承用横材５の前面５ａへ食い込み可能な仮固定用の爪であり、上記横長垂直状板部３または水平板部２から後方へ向けて突設させてあり、横方向への間隔をおいて２個程度を設けておく。該尖頭突起部１４，１５の形成は、本取付け金具Ａをプレス加工で成形する際に小さい三角片として後方へ折り曲げておけばよいが、切り起こして形成したり、別体の突起片を固着して設けてもよい。
【００３３】
該各尖頭突起部１４，１５の後方への長さは、同一とはせずに、縦長垂直状板部１に近い側のものを、それより離れた側のものより短めに形成してある。これは、本取付け金具Ａを使用時に、取付け用板部４の外側縁４ａを支承用横材５の前面５ａに当接させた際、縦長垂直状板部１に近い側の尖頭突起部１４と、離れた側の尖頭突起部１５の各先端が、ほぼ同時に支承用横材５の前面５ａに当接するためである。
【００３４】
そこで、該尖頭突起部１４，１５の後方への長さを、上記取付け用板部４の外側縁４ａと両尖頭突起部１４，１５の各先端とが、平面図で見てほぼ同一線ｙ上にくるようにしてある（例えば図２・図４参照）。そのため、例えば縦長垂直状板部１に近い側のものを約２ｍｍ程度、遠い側のものを約３ｍｍ程度の長さにしておけばよいが、これに限るものではない。
【００３５】
上記縦長垂直状板部１、水平状板部２、横長垂直状板部３、取付け用板部４に各々形成してある釘又はネジ用の孔７，８，９，１０は、各々１ないし２個程度でよく、釘またはネジを通挿可能な内径としておけばよい。また各孔７，８，９，１０は、釘を打ち込みまたはネジをねじ込んだ際に、互いに干渉しない位置に設けておくことは勿論である。
【００３６】
次に、上記本発明に係る天井野縁等の取付け金具の使用状態を、天井野縁の取付け金具として使用する場合に基づいて説明する。
一般に家屋内の天井に天井板を張るには、室内側の対向する壁１９または柱の上部寄りに横設した支承用野縁材である支承用横材５間に、架け渡す如く板張り用野縁材である架け渡し横材６を等間隔状に横設し、この架け渡し横材６の下側に天井板を張り付けていく。本発明に係る天井野縁等の取付け金具Ａは、対向状の支承用横材５間に各架け渡し横材６を取付け・固定する際に用いる。
【００３７】
まず、対向する壁１９または柱の上部寄りに横設してある各支承用横材５の前面５ａに、各架け渡し横材６の縦断面の横幅の中央線がくるべき位置を、所定間隔（例えば３００ｍｍ間隔）で取付け位置用の墨付け線１１として記しておく。
【００３８】
上記支承用横材５の前面５ａの取付け位置用の墨付け線１１に対して、本発明の取付け金具Ａを位置決めし、仮固定後に本固定する。この位置決め時に作業者は、本取付け金具Ａの縦長垂直状部１または取付け用板部４を把持し、架け渡し横材６を縦断面縦長状で用いるか横長状で用いるかにより、上記いずれかの位置決め用部１２，１３を支承用横材５の墨付け用線１１に合致させることで、水平方向の位置を決めればよい。
【００３９】
それと同時に本取付け金具Ａを、横長垂直状板部３の下端縁または水平状板部２の後端縁が、支承用横材５の前面５ａの下端縁と一致するようにして、上下方向の位置を決めればよい。その状態で、本取付け金具Ａを支承用横材５の前面５ａ側へ押しつけ、または金槌で叩くことにより、仮固定用の尖頭突起部１４，１５を支承用横材５に食い込ませて仮固定する。
【００４０】
次いで、本取付け金具Ａの取付け用板部４と横長垂直状板部３の各釘又はネジ用の孔１０，９から、支承用横材５の前面５ａへ向けて釘を打ち込みまたは木ネジ２０をねじ込むことにより、本取付け金具Ａを支承用横材５の前面５ａの所定位置に本固定させる。このようにして、本取付け金具Ａを、対向する両側の支承用横材５の前面５ａの各所定位置に固定しておく。
【００４１】
その後は、架け渡し横材６を持ち上げてその各側端部を、各支承用横材５の前面５ａに固定してある本取付け金具Ａの水平状板部２上に載置させる。そして一側の架け渡し横材６の側面６ａを、その側の本取付け金具Ａの縦長垂直状板部１に当接させた状態で、本取付け金具Ａの縦長垂直状部１または水平状板部２の釘又はネジ用の７，８から、釘を打ちまた木ネジ２１をねじ込むことで、固定させる。これを、架け渡し横材６の他側についても行うことにより、本取付け金具Ａを介して架け渡し横材６が支承用横材５へ固定される。
【００４２】
上記の如く本取付け金具Ａを位置決め・仮固定する場合に、本取付け金具Ａでは、架け渡し横材６を縦断面縦長状に用いる際と横長状で用いる際とのいずれにも対応可能に位置決め用部１２，１３を形成してある。そのため、架け渡し横材６を上記のいずれで用いる場合も、それに対応した位置決め用部１２，１３が、支承用横材５の前面の取付け位置用墨付け線１１と一致するように位置決めすれば、本取付け金具Ａを架け渡し横材６に応じて所定位置へ正確に取付けられることになっている。
【００４３】
また上記の位置決め時に、作業者は本取付け金具Ａの縦長垂直状板部１または取付け用板部４を持ち、その側から支承用横材５の前面５ａに当接させながら位置決めするので、本取付け金具Ａは取付け用板部４から遠い側が、支承用横材５の前面５ａから少し離れて浮き気味状態になる（例えば図５参照）。
【００４４】
この場合のために、本取付け金具Ａでは、尖頭突起部１４，１５の後方への長さを、取付け用板部４側のものを他より短めに、換言すれば取付け用板部４から離れた側のものを長めに形成して、上記取付け用板部４の外側縁４ａと両尖頭突起部１４，１５の各先端とが、平面図で見てほぼ同一線ｙ上にくるようにしてある（例えば図４参照）。
【００４５】
これにより、本取付け金具Ａの取付け用板部４の外側縁４ａと、取付け用板部４に近い短めの尖頭突起部１４と、他方の長めの尖頭突起部１５とは、ほぼ同時に支承用横材５の前面５ａに当接することになる（例えば上記図５参照）。この状態で、本取付け金具Ａを支承用横材５の前面５ａへ押し込みまたは金槌で叩いた際に、本取付け金具Ａは位置ズレすることなく正確に仮固定される。
【００４６】
なお、上記の如く本取付け金具Ａを用いることにより、架け渡し横材６はその両側端を該本取付け金具Ａで支承して取り付けている。そのため、作業者が一人の場合でも、従来のように、架け渡し横材の一側端を支承用野縁材に固定する際に他側端が落下して、床や壁等にキズを付けるようなことが無くなる。
【００４７】
また取付け時に落下しないように、架け渡し横材を少し長めに切断して、その両側端部を支承用横材間にややきつめに打ち込んでおく必要も無くなり、壁面や天井に曲がり等が生じ無くなるし、かつ架け渡し横材の一側端を取り付けて後に他側端を切断するような作業も不要となり、一人でも容易・迅速に取付け作業を行える。
【００４８】
さらに、本取付け金具Ａにより、架け渡し横材６の両側端を支承して取り付けるから、架け渡し横材６が支承用横材５間の間隔よりも少し短めに切断してあったとしても、取付け強度に支障を及ぼすことなく施工可能となるし、各架け渡し横材６を予め一定の長さで一括して切断して用意しておくことが可能となる。
【００４９】
上記の使用状態の説明では、本取付け金具Ａを支承用横材５の前面５ａに取り付けて、その本取付け金具Ａを介して架け渡し横材６を支承用横材５に固定したが、それに限らず、本取付け金具Ａを先に架け渡し横材６の両側端部に取付けておき、その本取付け金具Ａを介して支承用横材５へ固定するようにしてもよい。この場合には、本取付け金具Ａは正面図で見てＬ型状でなくてもよく、縦長垂直状板部１や取付け用板部４を他側にも形成したＵ型状としたもの（例えば図１１参照）でもよい。
【００５０】
図１０は、上下方向の位置合わせ用突出片２３を形成した本取付け金具Ａを示し、水平状板部２の後端または横長垂直状板部３の下端後部に突設しておくのがよい。これは、位置合わせ時に該突出片２３を支承用横材５の下面前部に当てることで、本取付け金具Ａの上下方向の位置決めをより容易にするものである。
【００５１】
なお上記では、架け渡し横材６に一般的な規格品の寸法をもつ板張り用野縁材の取付け・固定に用いる場合に基づいて説明したが、本取付け金具Ａの用途はそれに限るものではなく、対向状の両支承用横材５間に別の架け渡し横材６の両側端部を直角に取付け・固定するものなら広く利用可能である。本取付け金具Ａの各部の寸法を大きくまたは小さくすれば、規格品以外の寸法をもつ野縁材の取付け・固定に用いられることは勿論のこと、他にも例えば大引受け材間に大引き材を取付け・固定するような場合にも用いられるものである。
【００５２】
【実施例】
図１ないし図１１は、本発明に係る天井野縁等の取付け金具Ａの実施例を示すものであり、ここでは本取付け金具Ａを、天井野縁用の取付け金具として使用する場合を説明する。
【００５３】
本取付け金具Ａは、ここでは正面から見てほぼＬ型状で、厚み約２ｍｍ程度のステンレス板をプレス成形して製造している。
【００５４】
この取付け金具Ａは、縦長垂直状板部１を有しており、該縦長垂直状板部１はここでは高さ約４０ｍｍのものであり、また架け渡し横材としての板張り用野縁材６の端部寄り側面６ａへ当接可能に、前後方向へここでは約１８ｍｍ程度の前後幅を有している。該縦長垂直状板部１には上下方向に間隔をおいて、２箇所に釘またはネジ用の孔７を形成してある。
【００５５】
上記縦長垂直状板部１の下端縁から一側方、正面図で見てここでは右側方へ直角に屈曲して続く水平状板部２を有しており、該縦長垂直状板部１は板張り用野縁材６の端部寄り下面を支承可能に、上記縦長垂直状板部１と同じく約１８ｍｍ程度の前後幅を有している。また左右方向へ間隔をおいて２箇所に釘またはネジ用の孔８を形成してある。
【００５６】
上記縦長垂直状板部１の後端縁から一側方、正面図で見てここでは左側方へ直角に屈曲して続く縦長の取付け用板部４を有しており、該取付け用板部４は支承用横材５の前面５ａへ取付け可能に、ここでは約１８ｍｍ程度の横幅を有している。また該取付け用板部４も、釘またはネジ用の孔１０を形成してある。
【００５７】
上記水平状板部２後端縁から上方へ直角に屈曲して続く横長垂直状板部３を有しており、該横長垂直状板部３は上記取付け用板部４と同一面になっており、支承用横材５の前面５ａへ当接可能で、ここでは約１２ｍｍ程度の高さを有する。また該横長垂直状板部３にも、釘またはネジ用の孔９を形成してある。
【００５８】
また本取付け金具Ａには、位置決め用部１２，１３を形成してある。この位置決め用部１２，１３は、板張り用野縁材６を縦断面縦長状・横長状のいずれで用いる場合でも、各縦断面の横幅の中心線１６，１７が、支承用横材としての支承用野縁材５の前面５ａの取付け位置用墨付け線１１に一致して、正しく取付けられるようにするためのものである。
【００５９】
具体的に、ここでの位置決め用部としては、上記横長垂直状板部３の上端部近傍に凹部１８を形成して、該凹部１８の内側縁で縦長垂直状板部３に近い内側縁（正面図で見て左内側縁）を、板張り用野縁材６を縦断面縦長状で用いる場合の位置決め用部１２とし、縦長垂直状板部３から遠い側の内側縁（正面図で見て右内側縁）を、板張り用野縁材６を縦断面横長状で用いる場合の位置決め用部１３としてある。
【００６０】
上記で位置決め用部１２，１３となる両内側縁の位置については、板張り用野縁材６が一般的な規格品で例えば縦×横が約４０×３０ｍｍの場合に、左内側縁は、縦長垂直状板部１の内側面１ａからの寸法を、該板張り用野縁材６の小さい方の横幅３０ｍｍの１／２である１５ｍｍとしておく。また右内側縁は、縦長垂直状板部１の内側面１ａからの寸法を、板張り用野縁材６の大きい方の横幅４０ｍｍの１／２である２０ｍｍとしておく。これで、上記両内側縁間の間隔は５ｍｍとなっている。
【００６１】
さらに本取付け金具Ａには、仮固定用にここでは２個の尖頭突起部１４，１５を形成してある。この尖頭突起部１４，１５は、ここでは上記横長垂直状板部３の上端縁に、左右方向へ約２２ｍｍの間隔をおいた２箇所に、後方へ向かって突設させてある。これは切り起こしたり、固着して設けてもよいが、ここでは小さい三角片として後方へ折り曲げてある。
【００６２】
該尖頭突起部１４，１５の後方への長さは、同一とせずに、使用時に取付け用板部４の外側縁４ａを、支承用横材としての支承用野縁材５の前面５ａに当接させた際に、縦長垂直状板部１寄りの突起部１４と、縦長垂直状板部１から離れた側の突起部１５の各先端が、ほぼ同時に支承用横材５の前面５ａに当接するように、前者１４を後者１５よりも短めに形成してある。
【００６３】
詳しくは、図４で示したように、取付け用板部４の外側縁４ａと、縦長垂直状板部１寄りの突起部１４の先端と、縦長垂直状板部１から離れた側の突起部１５の先端とが、平面図で見て同一線ｙ上にくるようにしてあり、ここでは前者を約２ｍｍ、後者を約３ｍｍの長さにしてある。なお、図３・図１１で、２２は補強用の溶接部を示しているが、背面に凹凸が生じないように正面から行っている。
【００６４】
本取付け金具Ａの使用状態は、上記発明の実施の形態の項で説明したが、本取付け金具Ａを支承用野縁材５の前面５ａへ取り付ける際の状態を中心に、この実施例のものでもう一度説明しておく。
【００６５】
まず、建築物の室内側の対向する壁１９の上部寄りに横設した各支承用野縁材５の前面５ａに、各板張り用野縁材６を取り付ける位置、即ち各板張り用野縁材６を縦断面縦長状または横長状で用いる場合のいずれかの横幅方向の中心線１６，１７がくるべき位置を、ここでは３０ｃｍ間隔で、取付け位置用の墨付け線１１として記しておく。
【００６６】
上記支承用横材５の前面５ａの取付け位置用の墨付け線１１に対して、本発明の取付け金具Ａを、その位置決め用部１２，１３のいずれかが合うように位置決めして仮固定する。即ち、上記板張り用野縁６を縦断面縦長状に取り付ける場合には、本取付け金具Ａの取付け用板部４を持ち、図６・図７で示す如く、その外側縁４ａから支承用野縁材５の前面５ａに当接させ、位置決め用部１２として凹部１８の左内側縁を、上記支承用野縁材５の墨付け線１１に一致させることにより、水平方向の位置を決める。
【００６７】
もし上記板張り用野縁材６を縦断面横長状に取り付けるなら、図８で示すように、位置決め用部１３として凹部１８の右内側縁を、支承用野縁材５の墨付け線１１に一致させて水平方向の位置決めをしておけばよい。また上記いずれの場合も、本取付け金具Ａの上下方向の上記位置決めは、横長垂直状板部３の下端縁または水平状板部２の後端縁を支承用野縁材５の前面５ａの下端縁に一致させればよい。
【００６８】
上記の如く本取付け金具Ａを支承用野縁材５へ位置決めした状態で、本取付け金具Ａを支承用野縁材５の前面５ａへ押しつけ、または金槌で叩くことにより、仮固定用の尖頭突起部１４，１５を食い込ませて仮固定する。
【００６９】
上記の位置決め・仮固定時には、取付け用板部４の外側縁４ａから支承用野縁材５の前面５ａに当接させていくが、２本の尖頭突起部が同じ長さであれば、縦長垂直状板部寄りの尖頭突起部の先端が支承用野縁材の前面に当接した際に、縦長垂直状板部から離れた尖頭突起部は支承用野縁材の前面に届いておらず、隙間が生じて浮き気味となってしまう。この状態で取付け金具を支承用野縁材の前面へ押しつけまたは金槌で叩くと、位置ズレが生じる。
【００７０】
しかし本取付け金具Ａでは、上記の如く２本の尖頭突起部１４，１５は、縦長垂直状板部１寄りのものを、縦長垂直状板部１から離れた側のものより短めに形成して、取付け用板部４の外側縁４ａと両尖頭突起部１４，１５の各先端とが平面１でみて同一線ｙ上にくるようにしてある。そのため、本取付け金具Ａの位置決め・仮固定時に、取付け用板部４の外側縁４ａから支承用野縁材５の前面５ａに当接させて位置決めする際に、図５で示す如く、縦長垂直状板部１寄りの短めの尖頭突起部１４と他方の長めの尖頭突起部１５とは、ほぼ同時に支承用野縁材５の前面５ａに当接する。
【００７１】
この状態で、本取付け金具Ａを押し込みまたは金槌で叩いて、各尖頭突起部１４，１５を支承用野縁材５の前面５ａへ食い込ませるので、本取付け金具Ａは位置ズレすることなく正確に仮固定される。次いで、この取付け金具Ａの横長垂直状板部３および取付け用板部４の各釘またはネジ用の孔９，１０から、支承用野縁材５の前面５ａへここでは各々木ネジ２０をねじ込んで、本取付け金具Ａを本固定すればよい。
【００７２】
その後は、板張り用野縁材６を持ってその各側端寄りを、各支承用野縁材５の前面５ａに固定してある本取付け金具Ａの水平状板部２上に載置させる。この際に板張り用野縁材６を、まず片側で端部寄り側面６ａをその側の本取付け金具Ａの縦長垂直状板部１の内側面１ａに当接させ、本取付け金具Ａの縦長垂直状板部１および水平状板部２の各釘またはネジ用の孔７，８から、ここでは各々木ネジ２１を板張り用野縁材６へ向けてねじ込んで、固定させればよい（例えば図９参照）。
【００７３】
同様のことを、板張り用野縁材６の他側でも行うことにより、本取付け金具Ａを介して、板張り用野縁材６の両側端部を両支承用野縁横材５間に取付け・固定させればよい。上記で木ネジ２０，２１の代わりに釘を打ち込んでもよいことは勿論である。
【００７４】
【発明の効果】
以上で明らかな如く、本発明に係る天井野縁等の取付け金具は、最も手間が掛かかると共に高い技術が必要な架け渡し横材の支承用横材間への取付け・固定作業を、作業者が一人でも容易・迅速に行えると共に、架け渡し横材の縦断面の横幅が異なる場合も、支承用横材の前面へ正確に位置決めでき、かつ強固に取付けることができるものである。
【００７５】
即ち、従来の天井野縁等の取付け手段では、作業者が一人の場合は作業が難しく作業性が悪かったり、取付け後に見栄えが悪かったり、取付け強度に問題があったり、取付け時に位置がズレたり、壁面や天井面が変形したりした。また取付け金具を用いるものも、架け渡し横材が少しでも短いと、取付け時に他側部が落下して取付け難くかったり、長すぎると取付けられなかったり、近時のように建築物の高さ制限が厳しいと利用できなかったりした。さらに、取付け金具の位置決め・仮固定のことが考慮されていなかったり、架け渡し横材の縦断面の横幅が異なる場合に利用できなかったりした。
【００７６】
これに対して本発明の取付け金具を用いる場合には、イ）架け渡し横材の両側端を本取付け金具に載置させて取り付けることができる。そのため、作業者が一人の場合でも、従来のように、架け渡し横材の一側端を支承用横材に固定する際に、多側端が落下して床や壁等にキズを付けるようなことを無くせる。
【００７７】
ロ）また、落下せぬように架け渡し横材を少し長めに切断して、支承用横材間にきつめに打ち込んでおく必要が無くなるから、壁面や天井に曲がり等が生じることも無くせる。さらに、架け渡し横材の一側端を取り付けて後に、他側端を切断するような作業も不要となるから、一人でも作業が容易となり、作業性の向上を図れる。
【００７８】
ハ）さらに、架け渡し横材が少し短めであっても、本取付け金具で支承して取り付けることで、取付け強度に問題なく施工ができるようになるし、架け渡し横材を予め一定の長さで一括して切断して用意しておけるから、作業性を向上できる。
【００７９】
ニ）しかも本取付け金具では、架け渡し横材の縦断面の横幅が大・小いずれでも対応可能な位置決め用部を形成してあるので、架け渡し横材を縦断面縦長状・横長状のいずれで用いる場合にも、該位置決め用部を支承用横材の取付け位置用墨付け線に合わせることで位置決めすることができ、架け渡し横材を常に正確に所定位置へ取り付けることができる。
【００８０】
ホ）その上、本取付け金具の仮固定用の尖頭突起部は、後方への長さを、縦長取付け部側のものを他側のものより短めに、換言すれば縦長垂直状板部から離れた側のものを長めに形成してある。そのため、本取付け金具の位置決めおよび仮固定時に、いずれの尖頭突起部もほぼ同時に支承用横材の前面に当接し、かつ食い込ませることができるから、本取付け金具を正確に位置決め・仮固定して取り付けることができる。
【図面の簡単な説明】
【図１】本発明に係る天井野縁等の取付け金具の実施例の使用状態例を示す斜視図である。
【図２】図１で示した本取付け金具の実施例を前方から見た斜視図である。
【図３】図１で示した本取付け金具の実施例を後方から見た斜視図である。
【図４】図１で示した本取付け金具の実施例の平面図である。
【図５】図１で示した本取付け金具の実施例を、支承用横材へ位置決め時の平面図である。
【図６】図５で示した状態の正面図である。
【図７】架け渡し横材を縦断面縦長状に用いる場合に、図１で示した本取付け金具の実施例を仮固定する際の正面図である。
【図８】架け渡し横材を縦断面横長状に用いる場合に、図１で示した本取付け金具の実施例を仮固定する際の正面図である。
【図９】図１で示した使用状態例の拡大一部縦断側面図である。
【図１０】下位置合わせ用突出片をもつ本取付け金具の実施例の使用状態例を示す一部縦断側面図である。
【図１１】本発明に係る天井野縁等の取付け金具の他の実施例を示す後方からの斜視図である。
【符号の説明】
Ａ−取付け用金具
１−縦長垂直状板部
１ａ−内側面
２−水平状板部
３−横長垂直状板部
４−取付け用板部
４ａ−外側縁
５−支承用横材，支承用野縁材
５ａ−前面
６−架け渡し横材，板張り用野縁材
６ａ−側面
７−孔
８−孔
９−孔
１０−孔
１１−墨付け線
１２−位置決め用部
１３−位置決め用部
１４−尖頭突起部
１５−尖頭突起部
１６−中央線
１７−中央線
１８−凹部
１９−壁
２０−ネジ
２１−ネジ
２２−溶接部
２３−突出片
ｙ−同一線
【図１】
0004296253.tif 000002
【図２】
0004296253.tif 000003
【図３】
0004296253.tif 000004
【図４】
0004296253.tif 000005
【図５】
0004296253.tif 000006
【図６】
0004296253.tif 000007
【図７】
0004296253.tif 000008
【図８】
0004296253.tif 000009
【図９】
0004296253.tif 000010
【図１０】
0004296253.tif 000011
【図１１】
0004296253.tif 000012